(57)【要約】【課題】効果音を付加するなどコンテンツデータの出力中に当該コンテンツデータ以外のデータを付加することによって、コンテンツデータの出力に関し興趣性を向上させた通信端末装置を提供すること。【解決手段】携帯用電話機１００は、取得した楽曲データを再生する際には、出力規定データに基づいて、各操作キーＫの操作に連動させて各効果音データを拡声するために当該各操作キーＫに各効果音データを設定し、当該楽曲データの再生中に、操作キーＫが操作された場合に、該当する効果音データを楽曲データに重畳して再生するようになっている。【選択図】図１
2007214816.tif 000002
【特許請求の範囲】
【請求項１】
コンテンツデータを取得して表示出力または拡声出力の少なくとも何れか一方の出力態様によってデータ出力を行う通信端末装置であって、
複数の操作キーから構成される操作手段と、
前記コンテンツデータおよび当該コンテンツデータの出力中に用いられる複数のコンテンツ副データを取得する第１取得手段と、
前記コンテンツデータの出力中に、前記各操作キーの操作に連動して前記各コンテンツ副データを当該コンテンツデータに重畳させて出力させるために、当該コンテンツ副データの出力を規定する出力規定データを取得する第２取得手段と、
前記取得されたコンテンツデータが出力される際に、前記取得された出力規定データに基づいて前記各操作キーに対応付けて出力すべき各コンテンツ副データを設定する設定手段と、
前記取得されたコンテンツデータを出力手段に出力させるとともに前記操作キーの操作に従って前記取得されたコンテンツ副データを当該出力手段に出力させる出力制御手段と、
を備えることを特徴とする通信端末装置。
【請求項２】
請求項１に記載の通信端末装置において、
前記コンテンツデータの出力中に、前記操作キーの操作に連動して前記各コンテンツ副データが当該コンテンツデータに重畳させて出力させた指示データを出力指示データとして記憶手段に記憶させる記憶制御手段を更に備え、
前記出力制御手段が、前記コンテンツデータと前記記憶された出力制御データを連動させて前記出力手段に出力させることを特徴とする通信端末装置。
【請求項３】
請求項１または２に記載の通信端末装置において、
前記出力制御手段が、前記操作キーを押し下げたタイミングにて該当する前記コンテンツ副データの出力を開始させること特徴とする通信端末装置。
【請求項４】
請求項１乃至３の何れか一項に記載の通信端末装置において、
前記設定手段が、前記取得された出力規定データとともに、前記コンテンツデータの出力時刻または出力回数の少なくとも何れか一方に基づいて、前記各操作キーに対応付けて出力すべき各コンテンツ副データを設定することを特徴とする通信端末装置。
【請求項５】
通信端末装置に搭載されたてコンピュータによって、コンテンツデータを取得して表示出力または拡声出力の少なくとも何れか一方の出力態様によってデータ出力を行うデータ出力プログラムであって、
前記コンピュータを、
前記コンテンツデータおよび当該コンテンツデータの出力中に用いられる複数のコンテンツ副データを取得する第１取得手段、
前記コンテンツデータの出力中に、当該通信端末装置の操作手段に設けられた複数の操作キーの操作に連動して前記各コンテンツ副データを当該コンテンツデータに重畳させて出力させるために、当該コンテンツ副データの出力を規定する出力規定データを取得する第２取得手段、
前記取得されたコンテンツデータが出力される際に、前記取得された出力規定データに基づいて前記各操作キーに対応付けて出力すべき各コンテンツ副データを設定する設定手段、
前記取得されたコンテンツデータを出力手段に出力させるとともに前記操作キーの操作に従って前記取得されたコンテンツ副データを当該出力手段に出力させる出力制御手段、
として機能させることを特徴とするデータ出力プログラム。
【請求項６】
コンテンツデータを取得して表示出力または拡声出力の少なくとも何れか一方の出力態様によってデータ出力を行う通信端末装置に当該コンテンツデータを配信するサーバ装置であって、
前記通信端末装置の指示に基づいて前記コンテンツデータおよび当該コンテンツデータの出力中に用いられる複数のコンテンツ副データを一体的に配信する第１配信手段と、
前記コンテンツデータを配信する際に、当該コンテンツデータとともに前記コンテンツデータの出力中にて操作手段に設けられた操作キーの操作に連動して前記各コンテンツ副データを当該コンテンツデータに重畳させて出力させるために、当該コンテンツ副データの出力を規定する出力規定データを前記通信端末装置に配信する第２配信手段と、
を備えることを特徴とするサーバ装置。
【請求項７】
コンテンツデータを取得して表示出力または拡声出力の少なくとも何れか一方の出力態様によってデータ出力を行う通信端末装置にサーバ装置から当該コンテンツデータを配信するデータ配信方法であって、
前記通信端末装置の指示に基づいて前記コンテンツデータおよび当該コンテンツデータの出力中に用いられる複数のコンテンツ副データを一体的に配信する第１配信工程と、
前記コンテンツデータを配信する際に、当該コンテンツデータとともに前記コンテンツデータの出力中にて操作手段に設けられた操作キーの操作に連動して前記各コンテンツ副データを当該コンテンツデータに重畳させて出力させるために、当該コンテンツ副データの出力を規定する出力規定データを前記通信端末装置に配信する第２配信工程と、
を含むことを特徴とするデータ配信方法。
【請求項８】
コンテンツデータを取得して表示出力または拡声出力の少なくとも何れか一方の出力態様によってデータ出力を行う通信端末装置であって、
複数の操作キーから構成される操作手段と、
前記コンテンツデータおよび当該コンテンツデータの出力中に用いられる複数のコンテンツ副データと、前記コンテンツデータの出力中に、前記操作キーの操作に連動して前記各コンテンツ副データを当該コンテンツデータに重畳させて出力させるために、当該コンテンツ副データの出力を規定する出力規定データと、が予め記憶される記憶手段と、
前記取得されたコンテンツデータが出力される際に、前記取得された出力規定データに基づいて前記各操作キーに対応付けて出力すべき各コンテンツ副データを設定する設定手段と、
前記記憶されたコンテンツデータを出力するとともに前記操作キーの操作に従って前記記憶されたコンテンツ副データを出力手段に出力させる出力制御手段と、
を備え、
前記コンテンツデータまたはコンテンツ副データの少なくとも何れか一方を前記操作者によって前記記憶手段に記憶させる記憶制御手段を更に備えることを特徴とする通信端末装置。
【発明の詳細な説明】
【技術分野】
【０００１】
本発明は、データを拡声出力または表示出力する機能を有する通信端末装置および当該津新端末装置に対してデータを配信するデータ配信装置の分野に属する。
【背景技術】
【０００２】
近年、無線通信技術や種々の回路素子および表示装置の小型化など、周辺技術の発達に伴って、携帯用電話機などの通信端末装置が急速に普及している。また、これらの通信端末装置が普及するにつれて、当該通信端末装置を音データまたは動画像を含む画像データの再生機として用いること
など、音データまたは画像データに基づく種々の機能が拡張された通信端末装置も普及している。
【０００３】
一方、種々の機能が拡張された通信端末装置も普及するにあたり、当該通信端末装置に対して音データまたは画像データを提供するサービスおよびそれを行うデータ配信システムも登場し、最近では、配信された音データの加工をすること可能な携帯用電話機も知られている（例えば、特許文献１）。
【特許文献１】特開２００１−２３６０７１号公報
【発明の開示】
【発明が解決しようとする課題】
【０００４】
しかしながら、上述のような携帯用電話機にあっては、音データのリズムを変化させることができるものの、効果音など音データに更に別の音を加えることができず、興趣性に欠ける。
【０００５】
本発明は、上記の課題の一例を解決するものとして、効果音を付加するなどコンテンツデータの出力中に当該コンテンツデータ以外のデータを付加することによって、コンテンツデータの出力に関し興趣性を向上させた通信端末装置またはサーバ装置などを提供することを目的とする。
【課題を解決するための手段】
【０００６】
上記の課題を解決するために、請求項１に記載の発明は、
コンテンツデータを取得して表示出力または拡声出力の少なくとも何れか一方の出力態様によってデータ出力を行う通信端末装置であって、複数の操作キーから構成される操作手段と、前記コンテンツデータおよび当該コンテンツデータの出力中に用いられる複数のコンテンツ副データを取得する第１取得手段と、前記コンテンツデータの出力中に、前記各操作キーの操作に連動して前記各コンテンツ副データを当該コンテンツデータに重畳させて出力させるために、当該コンテンツ副データの出力を規定する出力規定データを取得する第２取得手段と、前記取得されたコンテンツデータが出力される際に、前記取得された出力規定データに基づいて前記各操作キーに対応付けて出力すべき各コンテンツ副データを設定する設定手段と、前記取得されたコンテンツデータを出力手段に出力させるとともに前記操作キーの操作に従って前記取得されたコンテンツ副データを当該出力手段に出力させる出力制御手段と、を備える構成を有している。
【０００７】
この構成により、請求項１に記載の発明は、取得されたコンテンツデータを出力するとともに当該出力されるコンテンツデータに対して操作キーの操作に従って取得されたコンテンツ副データを重畳させて出力させることができる。
【０００８】
したがって、請求項１に記載の発明は、効果音を付加するなどコンテンツデータの出力中に操作者主導によって当該コンテンツデータ以外のデータを付加することができるので、コンテンツデータの出力に関して興趣性を向上させることができる。
【０００９】
また、請求項２に記載の発明は、請求項１に記載の通信端末装置において、前記コンテンツデータの出力中に、前記操作キーの操作に連動して前記各コンテンツ副データが当該コンテンツデータに重畳させて出力させた指示データを出力指示データとして記憶手段に記憶させる記憶制御手段を更に備え、前記出力制御手段が、前記コンテンツデータと前記記憶された出力制御データを連動させて前記出力手段に出力させる構成を有している。
【００１０】
この構成により、請求項２に記載の発明は、コンテンツデータの出力中に、当該コンテンツデータに併せてコンテンツ副データを操作キーの操作に連動させて出力するだけでなく、操作者が操作した内容を記憶し、かつ、表示または拡声することができるので、自己の操作結果を後から興趣することができる。
【００１１】
また、請求項３に記載の発明は、請求項１または２に記載の通信端末装置において、前記出力制御手段が、前記操作キーを押し下げたタイミングにて該当する前記コンテンツ副データの出力を開始させる構成を有している。
【００１２】
この構成により、請求項３に記載の発明は、操作キーを押し下げることによってコンテンツ副データの出力が開始されるので、一のコンテンツ副データの出力中であっても、他の操作キーを押し下げすれば、他のコンテンツ副データの出力を行うことができる。
【００１３】
したがって、請求項３に記載の発明は、複数のコンテンツ副データについても重畳して出力することができるので、コンテンツデータにデータを付加する際に、種々のバリエーションを提供することができる。
【００１４】
また、請求項４に記載の発明は、請求項１乃至３の何れか一項に記載の通信端末装置において、前記設定手段が、前記取得された出力規定データとともに、前記コンテンツデータの出力時刻または出力回数の少なくとも何れか一方に基づいて、前記各操作キーに対応付けて出力すべき各コンテンツ副データを設定する構成を有している。
【００１５】
この構成により、請求項４に記載の発明は、コンテンツデータの出力時刻または出力回数を用いて操作キーに対応付けるコンテンツ副データを変化させることができるので、コンテンツデータにデータを付加する際に、種々のバリエーションを提供することができる。
【００１６】
また、請求項５に記載の発明は、通信端末装置に搭載されたてコンピュータによって、コンテンツデータを取得して表示出力または拡声出力の少なくとも何れか一方の出力態様によってデータ出力を行うデータ出力プログラムであって、前記コンピュータを、前記コンテンツデータおよび当該コンテンツデータの出力中に用いられる複数のコンテンツ副データを取得する第１取得手段、前記コンテンツデータの出力中に、当該通信端末装置の操作手段に設けられた複数の操作キーの操作に連動して前記各コンテンツ副データを当該コンテンツデータに重畳させて出力させるために、当該コンテンツ副データの出力を規定する出力規定データを取得する第２取得手段、前記取得されたコンテンツデータが出力される際に、前記取得された出力規定データに基づいて前記各操作キーに対応付けて出力すべき各コンテンツ副データを設定する設定手段、前記取得されたコンテンツデータを出力手段に出力させるとともに前記操作キーの操作に従って前記取得されたコンテンツ副データを当該出力手段に出力させる出力制御手段、として機能させる構成を有している。
【００１７】
この構成により、請求項５に記載の発明は、取得されたコンテンツデータを出力するとともに当該出力されるコンテンツデータに対して操作キーの操作に従って取得されたコンテンツ副データを重畳させて出力させることができる。
【００１８】
したがって、請求項５に記載の発明は、効果音を付加するなどコンテンツデータの出力中に操作者主導によって当該コンテンツデータ以外のデータを付加することができるので、コンテンツデータの出力に関して興趣性を向上させることができる。
【００１９】
また、請求項６に記載の発明は、コンテンツデータを取得して表示出力または拡声出力の少なくとも何れか一方の出力態様によってデータ出力を行う通信端末装置に当該コンテンツデータを配信するサーバ装置であって、前記通信端末装置の指示に基づいて前記コンテンツデータおよび当該コンテンツデータの出力中に用いられる複数のコンテンツ副データを一体的に配信する第１配信手段と、前記コンテンツデータを配信する際に、当該コンテンツデータとともに、前記コンテンツデータの出力中にて操作手段に設けられた操作キーの操作に連動して前記各コンテンツ副データを当該コンテンツデータに重畳させて出力させるために、当該コンテンツ副データの出力を規定する出力規定データを前記通信端末装置に配信する第２配信手段と、を備える構成を有している。
【００２０】
この構成により、請求項６に記載の発明は、通信端末装置にてコンテンツデータを出力する際に、当該コンテンツデータとともに当該出力されるコンテンツデータに対して操作キーの操作に従って取得されたコンテンツ副データを重畳させて出力させることができる。
【００２１】
したがって、請求項６に記載の発明は、効果音を付加するなどコンテンツデータの出力中に操作者主導によって当該コンテンツデータ以外のデータを付加することができるので、コンテンツデータの出力に関して興趣性を向上させることができる。
【００２２】
また、請求項７に記載の発明は、コンテンツデータを取得して表示出力または拡声出力の少なくとも何れか一方の出力態様によってデータ出力を行う通信端末装置にサーバ装置から当該コンテンツデータを配信するデータ配信方法であって、前記通信端末装置の指示に基づいて前記コンテンツデータおよび当該コンテンツデータの出力中に用いられる複数のコンテンツ副データを一体的に配信する第１配信工程と、前記コンテンツデータを配信する際に、当該コンテンツデータとともに、前記コンテンツデータの出力中にて操作手段に設けられた操作キーの操作に連動して前記各コンテンツ副データを当該コンテンツデータに重畳させて出力させるために、当該コンテンツ副データの出力を規定する出力規定データを前記通信端末装置に配信する第２配信工程と、を含む構成を有している。
【００２３】
この構成により、請求項７に記載の発明は、通信端末装置にてコンテンツデータを出力する際に、当該コンテンツデータとともに当該出力されるコンテンツデータに対して操作キーの操作に従って取得されたコンテンツ副データを重畳させて出力させることができる。
【００２４】
したがって、請求項７に記載の発明は、効果音を付加するなどコンテンツデータの出力中に操作者主導によって当該コンテンツデータ以外のデータを付加することができるので、コンテンツデータの出力に関して興趣性を向上させることができる。
【００２５】
また、請求項８に記載の発明は、コンテンツデータを取得して表示出力または拡声出力の少なくとも何れか一方の出力態様によってデータ出力を行う通信端末装置であって、複数の操作キーから構成される操作手段と、前記コンテンツデータおよび当該コンテンツデータの出力中に用いられる複数のコンテンツ副データと、前記コンテンツデータの出力中に、前記操作キーの操作に連動して前記各コンテンツ副データを当該コンテンツデータに重畳させて出力させるために、当該コンテンツ副データの出力を規定する出力規定データと、が予め記憶される記憶手段と、前記取得されたコンテンツデータが出力される際に、前記取得された出力規定データに基づいて前記各操作キーに対応付けて出力すべき各コンテンツ副データを設定する設定手段と、前記記憶されたコンテンツデータを出力するとともに前記操作キーの操作に従って前記記憶されたコンテンツ副データを出力手段に出力させる出力制御手段と、を備え、前記コンテンツデータまたはコンテンツ副データの少なくとも何れか一方を前記操作者によって前記記憶手段に記憶させる記憶制御手段を更に備える構成を有している。
【００２６】
この構成により、請求項８に記載の発明は、操作者によって記憶されたコンテンツデータを出力するとともに当該出力されるコンテンツデータに対して操作キーの操作に従って取得されたコンテンツ副データを重畳させて出力させることができる。
【００２７】
したがって、請求項８に記載の発明は、自己の記録したメッセージや音に効果音を付加するなどコンテンツデータの出力中に操作者主導によって当該コンテンツデータ以外のデータを付加することができるので、コンテンツデータの出力に関して興趣性を向上させることができる。
【発明の効果】
【００２８】
本願発明は、効果音を付加するなどコンテンツデータの出力中に操作者主導によって当該コンテンツデータ以外のデータを付加することができるので、コンテンツデータの出力に関して興趣性を向上させることができる。
【発明を実施するための最良の形態】
【００２９】
次に、本発明に好適な実施の形態について、図面に基づいて説明する。
【００３０】
以下に説明する実施の形態は、音データまたは動画像データのコンテンツデータの再生機能を有する携帯用電話機に当該コンテンツデータを配信するデータ配信システムまたはデータ配信サーバ装置に対して本願発明を適用した場合の実施形態である。また、以下の実施形態では、コンテンツデータとして音データを用いて説明する。
【００３１】
まず、図１を用いて本実施形態のデータ配信システムの構成および当該データ配信システムを構成する装置の概略動作について説明する。なお、本実施形態のデータ配信システムの構成を示すブロック図である。
【００３２】
本実施形態のデータ配信システムＳは、図１に示すように、音データを再生して拡声する複数の携帯用電話機１００と、任意の場所に固定設置され、音データを携帯用電話機１００に配信するデータ配信サーバ装置（以下、単に「サーバ装置」という。）２００と、から構成される。
【００３３】
本実施形態の各携帯用電話機１００は、他の電話機との通話または当該他の電話機を含む通信端末装置と通信を行う機能と、電子メールなどの他の通信端末装置と通信を行う際の着信音として予め設定された着信メロディなどの音データを拡声する機能との他に、サーバ装置２００等から取得した楽音（楽曲）などの音データを視聴目的にて拡声することができるようになっている。
【００３４】
特に、この携帯用電話機１００は、インターネットと移動パケット通信網から構成されるネットワークＮに中継交換局ＢＳを介して接続され、サーバ装置２００と通信回線を確立するようになっており、音データ（以下、「楽曲データ」という。）とともに、楽曲データを再生する際に用いる複数の効果音データと当該効果音データの設定および出力制御を行うためのデータ（以下、「出力規定データ」という。）とをサーバ装置２００から一括して一体的に取得するようになっている。
【００３５】
また、この携帯用電話機１００は、取得した楽曲データを再生する際には、出力規定データに基づいて、各操作キーＫの操作に連動させて各効果音データを拡声するために当該各操作キーＫに各効果音データを設定し、当該楽曲データの再生中に、操作キーＫが操作された場合に、該当する効果音データを楽曲データに重畳して再生するようになっている。
【００３６】
そして、この携帯用電話機１００は、取得した楽曲データを再生する際に効果音データを再生する再生操作のデータ（以下、「再生指示データ」という。）に基づいて、効果音データを楽曲データと連動して再生するための再生制御データ（以下、「効果音再生制御データ」という。）を生成することができるようになっており、楽曲データと再生指示データを同時に再生して操作者が操作した効果音データを楽曲データに併せて視聴することができるようになっている。
【００３７】
本実施形態のサーバ装置２００には、楽曲データ、複数の効果音データおよび出力規定データから構成される一組のデータ群（以下、「楽曲データ群」という。）が複数記憶されており、このサーバ装置２００は、携帯用電話機１００の指示の下に、該当する楽曲データ群を当該携帯用電話機１００に配信するようになっている。
【００３８】
次に、図２および図３を用いて本実施形態における携帯用電話機１００の構成について説明する。なお、図２は、本実施形態における携帯用電話機１００の構成を示す構成図であり、図３は、本実施形態の携帯用電話機１００における操作キーＫの一例を示す図である。
【００３９】
本実施形態の携帯用電話機１００は、図２に示すように、図示しないアンテナを介して他の通信端末装置またはサーバ装置２００との通信を行う電話機用通信制御部１１０と、所定のサーバ装置２００から取得された楽曲データ群およびその他のデータが格納されるデータ格納部１１５と、楽曲データの再生制御、効果音データの設定および効果音再生制御データの生成制御を行うアプリケーション管理部１２０と、楽曲データの再生および効果音データの再生と各種の信号処理を行い、音信号を出力するデータ再生部１２５と、信号処理された音信号の信号レベルを増幅し、音データを拡声するためのスピーカ（以下、「拡声用スピーカ」という。）ＳＰ１に出力する電力増幅器１３０と、を備えている。
【００４０】
また、この携帯用電話機１００は、音データを再生する際の制御など各部を制御する電話機用システム制御部１３５と、各部を制御する際に用いられるＲＯＭ／ＲＡＭ１４０と、各種の操作を行う際に用いられ、特に、効果音データの再生指示を行う際に用いる操作部１４５と、操作部１４５と連動しつつ各種の表示を行う表示部１５０と、当該表示部１５０の表示制御を行う表示制御部１５５と、他の電話機との通話を行う際に音声が入力されるマイクロホンＭと、マイクロホンＭに入力された音声を所定の信号に処理する音声処理部１６０と、通話時に受話音声を受話用スピーカＳＰ２に出力するための受話制御部１６５と、を備えている。
【００４１】
なお、例えば、本実施形態の電話機用通信制御部１１０は、本発明の第１取得手段および第２取得手段を構成し、データ格納部１１５は、本発明の記憶手段を構成する。また、例えば、アプリケーション管理部１２０は、本発明の設定手段および記憶制御手段を構成し、データ再生部１２５は、本発明の出力制御手段を構成する。また、例えば、本実施形態の電力増幅器１３０および拡声用スピーカＳＰ１は、本発明の出力手段を構成する。
【００４２】
電話機用通信制御部１１０は、図示しないアンテナを介してネットワークＮに接続されるようになっており、電話機用システム制御部１３５の制御の下、携帯用電話機１００などの他の通信端末装置またはサーバ装置２００との通信制御を行うようになっている。
【００４３】
特に、本実施形態の電話機用通信制御部１１０は、操作者の指示に基づいて、サーバ装置２００からＭＩＤＩ（Musical Instrument Digital Interface）フォーマットなどの所定のデータ形式を有する楽曲データおよび複数の効果音データと、各操作キーＫの操作に連動させて各効果音データを拡声するために当該各操作キーＫに各効果音データを設定するための出力規定データと、を楽曲データ群として一括して一体的に取得するようになっている。
【００４４】
データ格納部１１５には、サーバ装置２００から取得した楽曲データ群が格納されるとともに、各楽曲データ群に属する楽曲データが再生された場合に、当該楽曲データの再生に併せて効果音を再生するために操作された再生操作データに基づいて生成された効果音再生制御データが格納されるようになっている。また、このデータ格納部１１５には、楽曲データが再生される毎に、当該楽曲データの再生回数、すなわち、視聴回数が視聴回数データとして格納されるようになっている。
【００４５】
なお、このデータ格納部１１５には、上述の音データおよび特性データの他に、他の通信端末装置の所有者の名称を示す氏名、通称名などの名称情報毎に、電話番号を示す電話番号情報、メールアドレスの情報（以下、「アドレス情報」という。）などの種々の情報が格納されるようになっている。
【００４６】
アプリケーション管理部１２０は、データ格納部１１５に格納されている楽曲データの再生を行う際に、楽曲データの再生制御、効果音データの再生管理および効果音再生制御データの生成制御を行うようになっている。
【００４７】
具体的には、本実施形態のアプリケーション管理部１２０は、楽曲データの再生が行われる前に、再生を希望する楽曲データが属する楽曲データ群の出力規定データに基づいて、当該楽曲データ群に属する各効果音データを、当該各効果音データが操作キーＫに連動して再生するように、設定を行うようになっている。すなわち、本実施形態のアプリケーション管理部１２０は、操作キーＫが押し下げられた場合に、予め設定された効果音データが再生開始可能となるよう当該各効果音データを操作キーＫに割り当てるようになっている。
【００４８】
例えば、本実施形態のアプリケーション管理部１２０は、図３に示すように、操作キーＫ「１」には「カモメの声」、操作キーＫ「２」には「さざ波」または、操作キーＫ「３」には、「汽笛」など、楽曲データ群に属する各効果音データをそれぞれ異なる操作キーＫに設定するようになっている。
【００４９】
なお、本実施形態では、同一の効果音であっても、再生時間が異なるもの、すなわち、再生時間の長短の違いがあるものにあっては異なる効果音としてそれぞれ別の操作キーＫに設定されるようになっている。
【００５０】
一方、本実施形態のアプリケーション管理部１２０は、楽曲データが再生されている場合に、操作者が操作キーＫを操作して効果音データを再生した再生指示データを生成するとともに、当該再生指示データに基づいて、当該再生指示に通りに効果音データを楽曲データと連動して再生するための効果音再生制御データを生成するようになっている。
【００５１】
例えば、本実施形態のアプリケーション管理部１２０は、楽曲データの再生中に、操作キーＫが操作された場合に、当該操作キーＫが操作されたときの楽曲データの先頭を基準とした再生時刻を検出するとともに、当該検出した再生時刻に操作キーＫの種別を対応付けた再生指示データ生成するようになっている。
【００５２】
また、このアプリケーション管理部１２０は、楽曲データの再生が終了した後に、生成された再生指示データおよび各操作キーＫの効果音データの種別に基づいて、楽曲データの再生時刻に対応付けて各効果音データを再生するためのＭＩＤＩデータを効果音再生制御データとして生成するようになっており、生成された効果音再生制御データをデータ格納部１１５に格納するようになっている。
【００５３】
なお、本実施形態のアプリケーション管理部１２０は、一の楽曲データの再生を行う際に同一の効果音を同一の操作キーＫに割り当ててもよいし、再生を行う楽曲データの再生回数または再生時刻（再生される際の現在時刻）に基づいて、操作キーＫに設定する効果音データを変化させるようにしてもよい。
【００５４】
データ再生部１２５は、アプリケーション管理部１２０の制御の下、楽曲データの再生および当該楽曲データの再生中に操作キーＫの操作に基づいて各効果音データの再生を行うようになっている。
【００５５】
具体的には、本実施形態のデータ再生部１２５は、楽曲データの再生開始が指示されると、所定の形式の楽曲データをデコードし、所定形式の制御データ、または、当該制御データおよびＰＣＭ音源などの音源データに変換し、当該制御データに基づいて、音階、音色またはテンポなどが予め規定されている各種の音源データまたはデコードされた音源データを用いてオーディオデータを生成するようになっている。
【００５６】
また、このデータ再生部１２５は、生成されたオーディオデータに対して遅延処理および周波数特性の調整処理などの音処理種々の音処理を行うとともに、デジタル信号であるオーディオデータをアナログ信号に変換するデジタル／アナログ（以下、「Ｄ／Ａ」という。）変換処理を行うようになっており、Ｄ／Ａ変換処理されたアナログ信号を音信号として電力増幅器１３０に出力するようになっている。
【００５７】
一方、本実施形態のデータ再生部１２５は、楽曲データの再生中に、操作キーＫの操作に基づいて効果音データの再生が指示されると、当該効果音データの再生を開始するために、楽曲データと同様に、該当する効果音データをデコードし、所定形式の制御データ、または、当該制御データおよびＰＣＭ音源などの音源データに変換し、当該制御データに基づいて、音階、音色またはテンポなどが予め規定されている各種の音源データまたはデコードされた音源データを用いてオーディオデータを生成するようになっている。
【００５８】
そして、このデータ再生部１２５は、楽曲データと同様に、生成されたオーディオデータに対して遅延処理および周波数特性の調整処理などの音処理種々の音処理を行うとともに、デジタル信号であるオーディオデータをアナログ信号に変換するデジタル／アナログ（以下、「Ｄ／Ａ」という。）変換処理を行うようになっており、楽曲データにおける音信号に重畳して拡声用スピーカＳＰ１に拡声させるために、Ｄ／Ａ変換処理されたアナログ信号を音信号として電力増幅器１３０に出力するようになっている。
【００５９】
なお、本実施形態のデータ再生部１２５は、原則、操作キーＫが押し下げられたタイミングにて該当する効果音データの再生を開始するようになっているが、一の効果音データの再生中に同一の効果音データが割り当てられた操作キーＫが押し下げされた場合には、当該押し下げされた操作を無効にしてもよいし、操作キーＫが押し下げられる毎に効果音データを最初から再生するようにしてもよい。
【００６０】
電力増幅器１３０には、データ再生部１２５から出力された音信号が入力されるようになっており、この電力増幅器１３０は、電話機用システム制御部１３５の制御の下、操作部１４５よって指定された音量の指示に基づいて音信号の信号レベルを増幅し、増幅された音信号を呼出音拡声用スピーカＳＰ１に出力するようになっている。
【００６１】
電話機用システム制御部１３５は、主に中央演算処理装置（ＣＰＵ）によって構成されるとともに、バスＢによって各部と接続されており、携帯用電話機１００の全般的な機能を総括的に制御するようになっている。
【００６２】
具体的には、このシステム制御部は、通話機能、通信機能などの携帯用電話機１００全体の動作を制御する際に、ＲＯＭ／ＲＡＭ１４０に格納される制御プログラムを読み出して各処理を実行し、当該ＲＯＭ／ＲＡＭ１４０に処理中のデータを一時的に保持するようになっている。
【００６３】
操作部１４５は、各操作指令を入力する操作ボタン、テンキーおよびその他の数字キーなど、多数のキーにより構成され、通話または着信における種々の操作を行う際に用いられるようになっている。例えば、本実施形態の操作部１４５は、図３に示すような操作キーＫを有しており、楽曲データの再生中に当該各操作キーＫが押し下げられると、効果音データの再生開始を指示するようになっている。
【００６４】
表示部１５０は、液晶素子またはＥＬ（Electro Luminescence）素子によって構成され、表示制御部１５５にて生成された表示データに基づいて所定の画像を表示するようになっている。
【００６５】
表示制御部１５５は、電話機用システム制御部１３５の制御の下、他の電話機との通話また他の通信端末装置と通信を行う際に、または、アプリケーション管理部１２０の制御の下、操作部１４５と連動して楽曲データの再生および効果音データの再生指示に、表示部１５０に種々の画像を表示するための表示データを生成するようになっている。
【００６６】
音声処理部１６０は、電話機用システム制御部１３５の制御の下、他の電話機との通話を行う際に、マイクロホンＭを介して入力された送話する音声に対して所定の処理を行い、電話機用通信制御部１１０を介して通話先に送話音声をデータとして送信するようになっている。
【００６７】
受話制御部１６５は、システム制御部の制御の下、他の電話機との通話を行う際に、受話音声を受話用スピーカＳＰ２に拡声させるようになっている。
【００６８】
次に、図４を用いて本実施形態のおけるサーバ装置２００の構成について説明する。なお、図４は、本実施形態におけるサーバ装置２００の構成を示す構成図である。
【００６９】
本実施形態のサーバ装置２００は、図４に示すように、ネットワークＮを介して携帯用電話機１００とデータ通信を行サーバ用通信制御部２１０と、複数の楽曲データ群が記憶されるデータベース２２０と、各部の制御を行うサーバ用システム制御部２３０と、から構成されている。
【００７０】
なお、例えば、本実施形態のサーバ用通信制御部２１０は、本発明の第１配信手段および第２配信手段を構成する。
【００７１】
サーバ用通信制御部２１０は、ネットワークＮに接続されるようになっており、サーバ用システム制御部２３０の制御の下、携帯用電話機１００との通信回線を確立し、楽曲データ群のデータ配信および当該データ配信に関する通信制御を行うようになっている。
【００７２】
具体的には、このサーバ用通信制御部２１０は、携帯用電話機１００からの指示に基づいて、データベース２２０に記憶されている楽曲データの一覧を示すデータ（以下、「一覧表データ」という。）、当該携帯用電話機１００によって指定された楽曲データが属する楽曲データ群を取得し、当該各取得した楽曲データ群を携帯用電話機１００に送信するようになっている。
【００７３】
データベース２２０は、楽曲データと、当該楽曲データを再生する際に用いる複数の効果音データと、当該効果音データの設定および出力制御を行うための出力規定データと楽曲データ群として格納するためのデータベース２２０であり、サーバ用システム制御部２３０の制御の下、サーバ用通信制御部２１０の指示に基づいて、格納されている楽曲データの一覧表データ、該当する楽曲データ群を抽出してサーバ用通信制御部２１０に出力するようになっている。
【００７４】
サーバ用システム制御部２３０は、例えば、ＣＰＵ、ＲＯＭ／ＲＡＭ１４０およびハードディスクを有し、サーバ装置２００の各部を制御するようになっている。特に、ＲＯＭには、サーバ装置２００の各部を制御するための各種制御情報が記録されると共に、ハードディスクには、制御プログラムやＯＳ（Operating System）などの各種プログラムが記録されている。また、ＣＰＵは、ハードディスクに記録されたプログラムを実行することにより、各種の処理を実行し、ＲＡＭはワークエリアとして用いられるようになっている。
【００７５】
次に、図５および図６を用いて本実施形態のデータ配信システムＳにおける楽曲データ群の配信に係る携帯用電話機１００およびサーバ装置２００の処理について説明する。なお、図５および図６は、本実施形態の携帯用電話機１００およびサーバ装置２００において音データを配信する際の送信処理および受信処理の動作を示すフローチャートである。
【００７６】
以下の説明では、携帯用電話機１００において、サーバ装置２００に記憶されている複数の楽曲データ群の中から一の楽曲データ群を特定させて受信させる際の動作として説明する。また、サーバ装置２００におけるデータベース２２０には複数の楽曲データ群が記憶されているものとする。
【００７７】
まず、携帯用電話機１００において、操作者が操作部１４５を介して音データをサーバ装置２００から取得するための要求指示（以下、「データ取得指示」という。）が入力されると、電話機用システム制御部１３５は、当該データ取得指示を検出し（ステップＳ１０１）、電話機用通信制御部１１０にサーバ装置２００との通信回線の確立をするための要求指示（以下、「確立要求」という。）をサーバ装置２００に送信させ、サーバ装置２００から送信される通信回線の確立の確認を示す情報（以下、「確認情報」という。）を受信するまで待機させる（ステップＳ１０２）。
【００７８】
このとき、サーバ装置２００においては、サーバ用通信制御部２１０が携帯用電話機１００から送信された確立要求を受信すると（ステップＳ２０１）、サーバ用システム制御部２３０は、サーバ用通信制御部２１０に、確立要求を送信した携帯用電話機１００との認証その他の処理を行うとともに、確認情報を携帯用電話機１００に送信させる（ステップＳ２０２）。
【００７９】
次いで、サーバ用システム制御部２３０は、サーバ用通信制御部２１０に携帯用電話機１００との通信回線を確立させるとともに、データベース２２０に記憶されている楽曲データ群、すなわち、楽曲データの一覧を示す一覧表データを生成し、生成された一覧表データを携帯用電話機１００に送信する（ステップＳ２０３）。
【００８０】
なお、サーバ用システム制御部２３０は、サーバ用通信制御部２１０が携帯用電話機１００から送信された楽曲データ群の配信要求を受信するまで動作を待機させる。
【００８１】
一方、携帯用電話機１００においては、電話機用通信制御部１１０がサーバ装置２００から送信された確認情報を受信すると（ステップＳ１０３）、電話機用システム制御部１３５は、電話機用通信制御部１１０にサーバ装置２００との通信回線を確立させて、一覧表データが受信されるまで待機させる（ステップＳ１０４）。
【００８２】
次いで、電話機用通信制御部１１０が一覧表データを受信すると（ステップＳ１０５）、電話機用システム制御部１３５は、表示制御部１５５を制御して表示部１５０に受信した一覧表データを表示させ、操作者における楽曲データの特定指示、すなわち、一の楽曲データにおける選択が入力されるまで待機する（ステップＳ１０６）。
【００８３】
次いで、操作部１４５を介して表示されている一覧表データから一の楽曲データが選択され、電話機用システム制御部１３５が楽曲データの特定指示を検出すると（ステップＳ１０７）、当該電話機用システム制御部１３５は、電話機用通信制御部１１０に特定された楽曲データの配信要求をサーバ装置２００に送信させ、楽曲データが受信されるまで待機させる（ステップＳ１０８）。
【００８４】
このとき、サーバ装置２００においては、サーバ用通信制御部２１０が携帯用電話機１００から送信された配信要求を受信すると（ステップＳ２０４）、当該サーバ用システム制御部２３０は、サーバ用通信制御部２１０に、配信要求によって示された楽曲データが属する楽曲データ群をデータベース２２０から読み出させるとともに（ステップＳ２０５）、読み出させた楽曲データを携帯用電話機１００に送信させ（ステップＳ２０６）、本動作を終了させる。
【００８５】
他方、携帯用電話機１００においては、電話機用通信制御部１１０が楽曲データを受信すると（ステップＳ１０９）、電話機用システム制御部１３５は、電話機用通信制御部１１０に受信した楽曲データをデータ格納部１１５に格納させ（ステップＳ１１０）、本動作を終了させる。
【００８６】
なお、携帯用電話機１００は、ステップＳ１１０の処理において、動作を終了させずに、以下の再生処理を実行するようにしてもよい。
【００８７】
次に、図７を用いて本実施形態の携帯用電話機１００における楽曲データの再生処理について説明する。なお、図７は、本実施形態の携帯用電話機１００における楽曲データの再生処理の動作を示すフローチャートである。
【００８８】
以下の説明では、データ格納部１１５には、上述の受信処理によって既に楽曲データが格納されているものとする。
【００８９】
まず、操作者が所定のアプリケーションを立ち上げるなど操作部１４５を介して楽曲データの再生を希望する旨の入力を行い、電話機用システム制御部１３５が楽曲データの再生指示を検出すると（ステップＳ１１）、アプリケーション管理部１２０は、該当する楽曲データに対応する出力規定データ、すなわち、当該楽曲データが属する楽曲データ群の出力規定データをデータ格納部１１５から読み出して、操作キーＫに連動して効果音が再生されるように当該楽曲データ群に属する各効果音データを操作キーＫに割り当て、楽曲データの再生準備が完了した旨を表示部１５０に表示させる（ステップＳ１２）。
【００９０】
なお、このとき、アプリケーション管理部１２０は、再生指示が為された楽曲データの再生回数および再生時刻に基づいて、各効果音データをそれぞれ各操作キーＫに対応付けるように設定してもよい。
【００９１】
次いで、操作者によって楽曲データの再生開始指示が入力され、アプリケーション管理部１２０が、当該再生開始指示を検出すると（ステップＳ１３）、データ再生部１２５に楽曲データの再生を開始させる（ステップＳ１４）。
【００９２】
なお、データ再生部１２５は、楽曲データの再生が指示されると、ステップＳ１８において楽曲データの再生が終了と判断されるまで、当該楽曲データの再生を行う。
【００９３】
次いで、アプリケーション管理部１２０は、データ再生部１２５に何れかの操作キーＫが押し下げられたか否かを判断させ（ステップＳ１５）、データ再生部１２５が何れかの操作キーＫが押し下げられたと判断するとステップＳ１６の処理に移行し、データ再生部１２５が何れの操作キーＫも押し下げられていないと判断するとステップＳ１７の処理に移行する。
【００９４】
次いで、アプリケーション管理部１２０は、データ再生部１２５に押し下げられた操作キーＫに該当する効果音データの再生を開始させるとともに（ステップＳ１６）、当該操作キーＫが押し下げられた再生時刻と当該再生される効果音データとを対応付けてＲＯＭ／ＲＡＭ１４０に記憶する（ステップＳ１７）。
【００９５】
次いで、アプリケーション管理部１２０は、データ再生部１２５が楽曲データを全て再生したか否かまたは操作部１４５により楽曲データの再生終了指示が検出された否かなど、楽曲データの再生が終了であるか否かを判断する（ステップＳ１８）。
【００９６】
このとき、アプリケーション管理部１２０は、楽曲データの再生が終了でないと判断すると、ステップＳ１５の処理に移行し、楽曲データの再生が終了であると判断すると、ステップＳ１９の処理に移行する。
【００９７】
最後に、アプリケーション管理部１２０は、ステップＳ１７の処理にて記憶された再生時刻と当該再生時刻に対応する効果音データに基づいて効果音再生制御データを生成して（ステップＳ１９）本動作を終了させる。
【００９８】
以上本実施形態のデータ配信システムＳは、サーバ装置２００から取得された楽曲データを再生するとともに当該再生される楽曲データに対して操作キーＫの操作に従って取得された効果音データを重畳させて出力させることができる。
【００９９】
したがって、本実施形態のデータ配信システムＳは、効果音を付加するなどコンテンツデータの出力中に操作者主導によって当該コンテンツデータ以外のデータを付加することができるので、コンテンツデータの出力に関して興趣性を向上させることができる。
【０１００】
また、本実施形態のデータ配信システムＳは、楽曲データの再生中に、当該楽曲データに併せて効果音データを操作キーＫの操作に連動させて出力するだけでなく、操作者が操作した内容を記憶し、かつ、再生することができるので、自己の操作結果を後から興趣することができる。
【０１０１】
また、本実施形態のデータ配信システムＳは、操作キーＫを押し下げることによって効果音データの再生が開始されるので、一の効果音データの再生中であっても、他の効果音データの再生を行うことができる。
【０１０２】
したがって、本実施形態のデータ配信システムＳは、複数の効果音データについても重畳して出力することができるので、楽曲データに効果音を付加する際に、種々のバリエーションを提供することができる。
【０１０３】
なお、本実施形態では、携帯用電話機１００を用いて説明しているが、勿論、音データの送受信および拡声が可能な通信端末装置であれば本発明を適用することができる。
【０１０４】
また、本実施形態では、楽曲データを用いて説明しているが、動画像データをも含む動画データに対して適用するようにしてもよい。例えば、動画像データと、動画像データに対して所定のキャラクタが登場して種々の動作を行うようなコンテンツ副データと、当該各操作キーＫにコンテンツ副データを設定するための出力規定データと、から画像データ群を構成し、上述の楽曲データ群と同様に、再生制御（出力制御）するようにしてもよい。この場合に、画像再生のみならず、画像と音を連動して再生制御するようにしてもよい。
【０１０５】
また、本実施形態では、サーバ装置２００から取得した楽曲データまたは効果音データを用いているが、当該楽曲データまたは効果音データに代えて操作者が自ら記憶したデータを用いて、上述の再生処理を行うようにしてもよい。すなわち、楽曲データに変えて自己が録音した音声データなどの音データを、または、効果音データに変えて自己が録音した音声データをデータ格納部１１５に格納し、上述の再生処理を行うようにしてもよい。この場合に、上述のように、音データでなく、操作者が自ら記憶した動画像データを含む画像データを用いるようにしてもよい。
【０１０６】
また、本実施形態の携帯用電話機１００は、上述のように、楽曲データの再生処理を行うようになっているが、当該携帯用電話機１００にコンピュータおよび記録媒体を備えるとともに、この再生処理を実行する制御プログラムを記録媒体に格納し、このコンピュータで当該各制御プログラムを記録媒体から読み込むことによって上述と同様の再生処理を行うようにしてもよい。
【図面の簡単な説明】
【０１０７】
【図１】本願に係るデータ配信システムの一実施形態における構成を示すブロック図である。
【図２】本願に係る携帯用電話機における一実施形態の構成を示す構成図である。
【図３】一実施形態の携帯用電話機における操作キーの一例を示す図である。
【図４】本願に係るサーバ装置における一実施形態の構成を示す構成図である。
【図５】一実施形態の携帯用電話機およびサーバ装置において音データを配信する際の送信処理および受信拡声を行う受信拡声処理の動作を示すフローチャート（Ｉ）である。
【図６】一実施形態の携帯用電話機およびサーバ装置において音データを配信する際の送信処理および受信拡声を行う受信拡声処理の動作を示すフローチャート（II）である。
【図７】一実施形態の携帯用電話機における楽曲データの再生処理の動作を示すフローチャートである。
【符号の説明】
【０１０８】
Ｓ  …  データ配信システム
１００  …  携帯用電話機
１１０  …  電話機用通信制御部
１１５  …  データ格納部
１２０  …  アプリケーション管理部
１２５  …  データ再生部
１３０  …  電力増幅器
１３５  …  システム制御部
１４０  …  ＲＯＭ／ＲＡＭ  
１４５  …  操作部
１５０  …  表示部
１５５  …  表示制御部
１６０  …  音声処理部
１６５  …  受話制御部
Ｍ  …  マイクロホン
ＳＰ１  …  拡声用スピーカ
ＳＰ２  …  受話用スピーカ
２００  …  サーバ装置
２１０  …  サーバ用通信制御部
２２０  …  データベース
２３０  …  サーバ用システム制御部
【図１】
2007214816.tif 000003
【図２】
2007214816.tif 000004
【図３】
2007214816.tif 000005
【図４】
2007214816.tif 000006
【図５】
2007214816.tif 000007
【図６】
2007214816.tif 000008
【図７】
2007214816.tif 000009